【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
入力された音声信号に含まれる所定時間長の信号部分に対して周波数変換を行うことによって、当該信号部分の周波数スペクトルを導出する周波数変換部と、
前記周波数変換部によって導出された周波数スペクトルから複数の帯域を抽出し、抽出した帯域毎の周波数スペクトルである帯域スペクトルを出力する帯域抽出部と、
前記帯域スペクトルの各々について所定の特徴量を算出し、算出された各所定の特徴量を前記音声信号の特徴量とする特徴量算出部とを備える、特徴量抽出装置。
【請求項２】
前記特徴量算出部は、前記帯域スペクトルの各々について、スペクトルがピークとなる値であるピーク値を算出し、ある帯域のピーク値と他の帯域のピーク値との差分値を前記所定の特徴量とする、請求項１に記載の特徴量抽出装置。
【請求項３】
前記特徴量算出部は、ある帯域のピーク値と他の帯域のピーク値との差分値を、その符号を示す２値の値によって表現する、請求項２に記載の特徴量抽出装置。
【請求項４】
前記特徴量算出部は、前記帯域スペクトルの各々について、スペクトルがピーク値となる周波数であるピーク周波数を算出し、ある帯域のピーク周波数と他の帯域のピーク周波数との差分値を前記所定の特徴量として算出する、請求項１に記載の特徴量抽出装置。
【請求項５】
前記特徴量算出部は、ある帯域のピーク周波数と他の帯域のピーク周波数との差分値を、当該差分値が所定量より多いか否かを示す２値の値によって表現する、請求項４に記載の特徴量抽出装置。
【請求項６】
前記周波数変換部は、前記音声信号から前記所定時間長の信号部分を所定の時間間隔で抽出し、
前記特徴量算出部は、
前記帯域スペクトルの各々について、スペクトルがピーク値となる周波数であるピーク周波数を算出するピーク周波数算出部と、
前記ピーク周波数算出部によって算出された各ピーク周波数の時間変化量に関する数値を前記所定の特徴量として算出するピーク周波数時間変化算出部とを含む、請求項１に記載の特徴量抽出装置。
【請求項７】
前記ピーク周波数時間変化算出部は、前記各ピーク周波数の時間変化量の符号を示す２値の値を前記所定の特徴量とする、請求項６に記載の特徴量抽出装置。
【請求項８】
前記ピーク周波数時間変化算出部は、前記各ピーク周波数の時間変化量が所定量よりも多いか否かを示す２値の値を前記所定の特徴量とする、請求項６に記載の特徴量抽出装置。
【請求項９】
請求項１に記載の特徴量抽出装置を含み、音声信号および映像信号を含む番組データを入力するとともに、当該番組データを記録媒体に記録可能な番組記録装置であって、
前記特徴量抽出装置は、前記番組データに含まれる音声信号の特徴量を算出し、
前記番組データの前記記録媒体への記録の制御を行う記録制御部と、
記録すべき番組において流れる音楽の音声信号の特徴量と、前記記録制御部に対して当該番組の記録を行う旨の指示、または記録を停止する旨の指示を示す制御指示情報とを対応付けた組を少なくとも１組記憶する特徴量記憶部と、
前記特徴量抽出装置によって導出された特徴量と、前記特徴量記憶部に記憶されている特徴量とに基づいて、前記番組データに含まれる音声信号が前記記録すべき番組において流れる音楽の音声信号と一致するか否かを判定する特徴量比較部とを備え、
前記記録制御部は、前記特徴量比較部が一致すると判定した場合、一致すると判定された音声信号の特徴量に前記特徴量記憶部において対応付けられている制御指示情報により示される指示に従って前記制御を行う、番組記録装置。
【請求項１０】
入力される番組データを所定の量だけ記録する予備記録部をさらに備え、
前記特徴量記憶部は、特徴量と制御指示情報との対応に加え、前記記録すべき番組の開始から、当該特徴量を有する音声信号の音楽が当該番組において流れるまでの経過時間を示す情報をさらに対応付けて記憶し、
前記記録制御部は、前記特徴量比較部が一致すると判定した場合であって、一致すると判定された音声信号の特徴量に前記特徴量記憶部において対応付けられている制御指示情報により示される指示が番組の記録を示す場合、入力される番組データの前記記録媒体への記録を開始するとともに、前記予備記録部に記録されている番組データのうち、当該制御指示情報に対応付けられている情報により示される経過時間分の番組データを前記記録媒体へ記録する、請求項９に記載の番組記録装置。
【請求項１１】
請求項１に記載の特徴量抽出装置を含み、音声信号および映像信号を含む番組データを入力するとともに、当該番組データを再生可能な再生装置に接続される番組再生制御装置であって、
前記特徴量抽出装置は、前記番組データに含まれる音声信号の特徴量を算出し、
前記番組データの前記再生装置による再生の制御を行う再生制御部と、
再生すべき番組において流れる音楽の音声信号の特徴量と、前記再生制御部に対して当該番組の再生を行う旨の指示、または再生を停止する旨の指示を示す制御指示情報とを対応付けた組を少なくとも１組記憶する特徴量記憶部と、
前記特徴量抽出装置によって導出された特徴量と、前記特徴量記憶部に記憶されている特徴量とに基づいて、前記番組データに含まれる音声信号が前記再生すべき番組において流れる音楽の音声信号と一致するか否かを判定する特徴量比較部とを備え、
前記再生制御部は、前記特徴量比較部が一致すると判定した場合、一致すると判定された音声信号の特徴量に前記特徴量記憶部において対応付けられている制御指示情報により示される指示に従って前記制御を行う、番組再生制御装置。
【請求項１２】
前記番組データは、記録媒体に記録されており、
前記記録媒体に記録されている番組データを編集可能な編集部をさらに備える、請求項１１に記載の番組再生制御装置。
【請求項１３】
入力された音声信号に含まれる所定時間長の信号部分に対して周波数変換を行うことによって、当該信号部分の周波数スペクトルを導出する周波数変換ステップと、
前記周波数変換ステップにおいて導出された周波数スペクトルから複数の帯域を抽出し、抽出した帯域毎の周波数スペクトルである帯域スペクトルを出力する帯域抽出ステップと、
前記帯域スペクトルの各々について所定の特徴量を算出し、算出された各所定の特徴量を前記音声信号の特徴量とする特徴量算出ステップとを備える、特徴量抽出方法。
【請求項１４】
音声信号および映像信号を含む番組データを入力するとともに、当該番組データを記録媒体に記録可能な番組記録装置によって行われる方法であって、
前記番組データに含まれる音声信号の特徴量を請求項１３に記載の特徴量抽出方法を用いて算出し、
記録すべき番組において流れる音楽の音声信号の特徴量と、前記記録制御部に対して当該番組の記録を行う旨の指示、または記録を停止する旨の指示を示す制御指示情報とを対応付けた組を少なくとも１組記憶しておき、
前記算出された特徴量と、前記記憶された特徴量とに基づいて、前記番組データに含まれる音声信号が前記記録すべき番組において流れる音楽の音声信号と一致するか否かを判定し、
一致すると判定された場合、一致すると判定された音声信号の特徴量に対応付けられている制御指示情報により示される指示に従って、前記番組データの前記記録媒体への記録の制御を行う、番組記録方法。
【請求項１５】
音声信号および映像信号を含む番組データを入力するとともに、当該番組データを再生可能な再生装置に接続される番組再生制御装置によって行われる方法であって、
前記番組データに含まれる音声信号の特徴量を請求項１３に記載の特徴量抽出方法を用いて算出し、
再生すべき番組において流れる音楽の音声信号の特徴量と、前記再生制御部に対して当該番組の再生を行う旨の指示、または再生を停止する旨の指示を示す制御指示情報とを対応付けた組を少なくとも１組記憶しておき、
前記算出された特徴量と、前記記憶された特徴量とに基づいて、前記番組データに含まれる音声信号が前記再生すべき番組において流れる音楽の音声信号と一致するか否かを判定し、
一致すると判定された場合、一致すると判定された音声信号の特徴量に対応付けられている制御指示情報により示される指示に従って、前記番組データの前記再生装置による再生の制御を行う、番組再生制御方法。